(57)【要約】【課題】  検針業務の合理化や効率化及びサービス向上を図ることができる、ＲＦＩＤタグ内蔵型電子式電力量計を得る。【解決手段】  電力量データをデジタル信号で出力することができる電子式電力量計に、該電力量データを入力するための入力インターフェース回路を有したＲＦＩＤタグを内蔵し、電子式電力量計の制御部から出力されるデータ信号をＲＦＩＤタグの入力インターフェース回路に接続して構成する。また、該ＲＦＩＤタグ内のメモリに当該電子式電力量計を特定するための固有ＩＤ情報や付加サービスのための各種情報を蓄積しておき、検針員が所持する携帯型無線検針器からのデータリード指令の送信に応答してＲＦＩＤタグは入力インターフェース回路を経由して電子式電力量計の電力量データを読み取り、該電子式電力量計の固有ＩＤ情報や各種情報及び電力量データを携帯型無線検針器に送信する機能を備えて構成する。【選択図】        図１
2006208092.tif 000002
【特許請求の範囲】
【請求項１】
電力量を積算計測して電力量データをデジタル信号で出力することができる電子式電力量計において、該電力量データを入力するための入力インターフェース回路を有したＲＦＩＤタグを内蔵し、電子式電力量計の制御部から出力されるデータ信号をＲＦＩＤタグの入力インターフェース回路に接続して構成したことを特徴とした、ＲＦＩＤタグ内蔵型電子式電力量計。
【請求項２】
ＲＦＩＤタグ内のメモリに当該電子式電力量計を特定するための固有ＩＤ情報や付加サービスのための各種情報を蓄積しておき、検針員が所持する携帯型無線検針器からのデータリード指令の送信に応答してＲＦＩＤタグは入力インターフェース回路を経由して電子式電力量計の電力量データを読み取り、該電子式電力量計の固有ＩＤ情報や各種情報及び電力量データを携帯型無線検針器に送信する機能を備えて構成したことを特徴とした、請求項１に記載のＲＦＩＤタグ内蔵型電子式電力量計。
【請求項３】
ＲＦＩＤタグ内蔵型電子式電力量計と携帯型無線検針器との無線通信時におけるキャリア周波数は、通信距離を１ｍ程度とする場合は１３．５６ＭＨｚを使用し、３〜５ｍ程度とする場合は９５０ＭＨｚ帯を使用することを特徴とした請求項１及び請求項２に記載のＲＦＩＤタグ内蔵型電子式電力量計。
【発明の詳細な説明】
【技術分野】
【０００１】
本発明は、電力量の積算計測を行う電子式電力量計に関し、特に当該電力量計に固有ＩＤ情報や各種情報を付加して電力量の遠隔検針や付加サービスを行う、ＲＦＩＤタグ内蔵型電子式電力量計に関するものである。
【背景技術】
【０００２】
従来、主に一般家庭で消費する電力量の検針を行う場合、検針員が各家庭を訪問し、電力量計を目視して電力量を携帯型検針器に入力し、該携帯型検針器で消費電力量や請求金額及び前月分の口座振替領収書等を検針票に印刷して顧客に渡すことにより行われている。
【０００３】
また、近年において検針業務の合理化や効率化のため、無線通信や電話回線を用いた遠隔検針システムが普及しつつある。該遠隔検針システムには、特開２００１−９３０７０号公報や特開２００１−２８１２６９号公報等に記載されているように電力量計内に特定小電力無線機やＰＨＳ等の無線装置を内蔵しておき、地域毎に設置した固定基地局又は車に搭載した移動基地局と無線通信を行うことにより電力量データを読み取る方式と、電力量計内に電話回線に接続するための通信装置を内蔵しておき、ノーリンギングによる回線接続により電力量データを読み取る方式と、前記電話回線に代えて屋外電力線による電力線搬送通信により電力量データを読み取る方式と、特開２００２−３１１０５８号公報に記載されているように電力量計内に無線装置を内蔵しておき、検針員が所持する携帯用無線検針器と無線通信を行うことにより当該携帯用無線検針器にて電力量データを読み取る方式等のいくつかの方式がある。
【０００４】
また、上記遠隔検針において顧客の特定を行うためには、顧客毎にＩＤを設定する必要があるが、特開平０７−３３３２６５号公報では従来のスイッチ設定に代えて可変抵抗器の値をＡ／Ｄコンバータでデジタル値に変換して設定する方式が記載されている。
【特許文献１】特開２００１−９３０７０
【特許文献１】特開２００１−２８１２６９
【特許文献２】特開２００２−３１１０５８
【特許文献３】特開平０７−３３３２６５
【発明の開示】
【発明が解決しようとする課題】
【０００５】
しかしながら、上記基地局を有した無線通信や電話回線により電力量データを読み取る方式は、インフラの構築が整っておらず普及していないのが現状である。従って、該インフラが整うまでは従来通り検針員が各家庭を訪問して検針を行う方法が採られると思われる。そこで、特開２００２−３１１０５８号公報の電力量計においては、検針員が所持する携帯用無線検針器にて誘導形電力量計の電力量データを無線通信により読み取る方法が述べられているが、該無線通信により得られるデータは当該誘導形電力量計の電力量データのみである。従って、電力量データを読み取った後の検針票作成作業は従来と同様となるため、検針業務の合理化や効率化にはつながらないといった問題点があった。更には内蔵の無線装置は電力量の積算機能を有した特殊なものであるため、製造コストが上昇してしまうといった問題点もあった。また、ＩＤを設定する場合、従来のようにスイッチで設定したり、特開平０７−３３３２６５号公報の電力量計のように可変抵抗器の値をＡ／Ｄコンバータでデジタル値に変換して設定する方式では桁数の大きなＩＤを設定することができないと共に信頼性にも劣り、単なる顧客管理番号の用途しか利用できず、多くの情報且つ信頼性のある情報を蓄積することができないといった問題点があった。
【０００６】
本発明は、上記問題点を解決するために成されたものであり、各家庭に固有ＩＤ情報及び各種情報を付加した電子式電力量計を設置し、携帯型無線検針器による遠隔検針により電力量データ及び当該電子式電力量計の固有ＩＤ情報や各種情報を読み取ることにより検針業務の合理化や効率化及びサービス向上を図ることができる、ＲＦＩＤタグ内蔵型電子式電力量計を提供することを目的とする。
【課題を解決するための手段】
【０００７】
上記課題を解決するため、本発明のＲＦＩＤタグ内蔵型電子式電力量計においては、電力量を積算計測して電力量データをデジタル信号で出力することができる電子式電力量計において、該電力量データを入力するための入力インターフェース回路を有したＲＦＩＤタグを内蔵し、電子式電力量計の制御部から出力されるデータ信号をＲＦＩＤタグの入力インターフェース回路に接続して構成する。
【０００８】
また、該ＲＦＩＤタグ内のメモリに当該電子式電力量計を特定するための固有ＩＤ情報や付加サービスのための各種情報を蓄積しておき、検針員が所持する携帯型無線検針器からのデータリード指令の送信に応答してＲＦＩＤタグは入力インターフェース回路を経由して電子式電力量計の電力量データを読み取り、該電子式電力量計の固有ＩＤ情報や各種情報及び電力量データを携帯型無線検針器に送信する機能を備えて構成する。
【０００９】
また、上記ＲＦＩＤタグ内蔵型電子式電力量計と携帯型無線検針器との無線通信時におけるキャリア周波数は、通信距離を１ｍ程度とする場合は１３．５６ＭＨｚを使用し、３〜５ｍ程度とする場合は９５０ＭＨｚ帯を使用する。
【発明の効果】
【００１０】
本発明のＲＦＩＤタグ内蔵型電子式電力量計によれば、各家庭に設置した電力量計の検針作業を行う場合に、電力量計の積算電力量を目視することなく携帯型無線検針器の遠隔操作により電力量データ及び当該電子式電力量計の固有ＩＤ情報や各種情報を読み取って処理することができるため、検針業務の合理化や効率化を図ることができるという効果を奏する。また、携帯型無線検針器と無線通信を行うＲＦＩＤタグは非常に安価であり、電子式電力量計の製品コストに反映することなく安価に提供できるという効果も奏する。更には前記固有ＩＤ情報や各種情報はＲＦＩＤタグ内のメモリに蓄積されるため、多くの情報且つ信頼性のある情報を蓄積することができるという効果を奏する。
【発明を実施するための最良の形態】
【００１１】
本発明を実施するための最良の形態を図を用いて説明する。
【００１２】
図１は本発明のＲＦＩＤタグ内蔵型電子式電力量計を構成する概略ブロック図であり、ＲＦＩＤタグ内蔵型電子式電力量計１は、電子式電力量計部１ａとＲＦＩＤタグ部１ｂで構成する。
【００１３】
電子式電力量計部１ａは、電力線２の入力電流を適正な計測レベルの電流に変換するための変流器３と、入力電圧を適正な計測レベルの電圧に変換するための変圧器４と、該変流器３による電流と変圧器４による電圧より得られた電力に比例して発生した直流電圧をパルス周波数に変換するためのＷ／Ｆ変換部５と、メモリ７内の制御プログラムに従って電力量の積算計測と後述の表示部８と操作部９及びパルス出力部１０の動作制御を行うための制御部６と、前記制御部６で積算計測された電力量をＬＣＤモニタ等で表示するための表示部８と、表示切替やモード設定等を行うための操作部９と、外部用途として電力量に比例したパルス出力を行うためのパルス出力部１０と、前記制御プログラムや電力量データを蓄積しておくためのメモリ７等により構成する。
【００１４】
ＲＦＩＤタグ部１ｂは、検針員が所持する携帯型無線検針器と無線通信を行うためのアンテナ１１及びＲＦＩＤタグ１２により構成し、該ＲＦＩＤタグ１２内の入力インターフェース回路に上記電子式電力量計部１ａの制御部６のデータ信号を入力する。
【００１５】
図２は本発明のＲＦＩＤタグ内蔵型電子式電力量計で用いるＲＦＩＤタグの概略ブロック図であり、アンテナ１１をＲＦＩＤタグ１２に接続して当該ＲＦＩＤタグ内蔵型電子式電力量計１の内部に配設する。該アンテナ１１は、検針員が所持する携帯型無線検針器と電磁界又は電磁波により通信を行うため同調キャパシタ（図示せず）から成る同調回路１３に接続して共振回路を構成する。該アンテナ１１は一般的にはループアンテナであり、該ループアンテナの導線には相互インダクタンスが大きく取れる高効率なアンテナ素材を使用するのが好適である。キャリア周波数は、通信距離を１ｍ程度とする場合は１３．５６ＭＨｚを使用し、３〜５ｍ程度とする場合は９５０ＭＨｚ帯が好適である。また、通信感度を向上させるためＲＦＩＤタグ内蔵型電子式電力量計１の筐体はプラスチック製が好適である。
【００１６】
上記同調回路１３の後段には、携帯型無線検針器から出力された電磁界又は電磁波がアンテナ１１を通過した時に発生する誘導起電力の電圧波形を検波したり、該誘導起電力を半波又は全波整流して直流電圧を取り出すための整流回路１４を接続する。該整流回路１４で使用するダイオード（図示せず）は順方向電圧降下の低いもの、例えばショットキバリアダイオードが好適である。
【００１７】
次に、上記整流回路１４の後段には、検波したキャリアを分周してシステムクロックを生成するためのクロック生成回路１５と、信号受信時においてキャリアから信号を取り出す復調動作を行ったり信号送信時においてスイッチング素子（図示せず）により変調動作を行うための変復調回路１６と、上記直流電圧を安定化して回路電源を供給したり、充電用コンデンサ１８に充電電圧を供給するための電源回路１７を接続する。該充電用コンデンサ１８はセラミックコンデンサが好適であるが、特に限定するものではない。
【００１８】
次に、上記変復調回路１６の後段には、該変復調回路１６の制御や強誘電体メモリであるＦＲＡＭ（Ferroelectric R A M：米国Ramtron社の登録商標）２０に固有ＩＤ情報や各種情報及び電力量データ等の書込み又は読出し制御を行うためのロジック回路１９と、電子式電力量計部１ａの制御部６から出力された電力量データを入力するための入力インターフェース回路２１を接続する。
【００１９】
上記ＦＲＡＭ２０は不揮発性メモリであり、電源がＯＦＦになってもデータは消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。
【００２０】
また、図３は本発明のＲＦＩＤタグ内蔵型電子式電力量計と携帯型無線検針器の通信状態のイメージ図であり、検針員が所持する携帯型無線検針器２２により各家庭に設置されたＲＦＩＤタグ内蔵型電子式電力量計１の検針を行う場合、操作キー２４により電力量を読み取るためのデータリード指令を送信する。該データリード指令はアンテナ２５より電磁界又は電磁波による電波としてＲＦＩＤタグ内蔵型電子式電力量計１に内蔵のＲＦＩＤタグ１２とアンテナ１１を介して無線通信を行い、該ＲＦＩＤタグ内蔵型電子式電力量計１は固有ＩＤ情報や各種情報及び電力量データを同時に送信する。該固有ＩＤ情報としては顧客管理番号，顧客氏名，顧客住所等があり、各種情報としては当該ＲＦＩＤタグ内蔵型電子式電力量計１の製造会社，製造年月日，検定日，設置日，有効期限等がある。これらの固定情報は、ＲＦＩＤタグ内蔵型電子式電力量計１の出荷時又は設置時においてのみ書込みを行い、通常の検針時では書換えができないようにする必要がある。また、電気料金支払状況等の可変情報は、検針の都度書換えができるようにする必要がある。
【００２１】
検針時において、上記固有ＩＤ情報により顧客を自動的に特定できると共に電力量データも自動的に取得できるため検針票の作成が短時間に行え、検針業務の合理化や効率化が図られることになる。また、上記各種情報により各種お知らせを通知することができる。また、データとして当月の電力量データ以外に過去の蓄積データを取得できるようにすれば、月間使用量や時間帯使用量等の情報も通知することが可能となる。
【産業上の利用可能性】
【００２２】
上記説明においては、電子式電力量計にＲＦＩＤタグを内蔵して携帯型無線検針器により電力量の遠隔検針を行う方法について述べたが、電子式ガスメーターや電子式水道メーターにＲＦＩＤタグを内蔵し、使用ガス量データや使用水道量データを読み取ることにより、電力量の遠隔検針と同様に使用ガス量や使用水道量の遠隔検針も可能となる。
【図面の簡単な説明】
【００２３】
【図１】本発明のＲＦＩＤタグ内蔵型電子式電力量計を構成する概略ブロック図である。
【図２】本発明のＲＦＩＤタグ内蔵型電子式電力量計で用いるＲＦＩＤタグの概略ブロック図である。
【図３】本発明のＲＦＩＤタグ内蔵型電子式電力量計と携帯型無線検針器の通信状態のイメージ図である。
【符号の説明】
【００２４】
１  ＲＦＩＤタグ内蔵型電子式電力量計
２  電力線
３  変流器
４  変圧器
５  Ｗ／Ｆ変換部
６  制御部
７  メモリ
８  表示部
９  操作部
１０  パルス出力部
１１  アンテナ
１２  ＲＦＩＤタグ
１３  同調回路
１４  整流回路
１５  クロック生成回路
１６  変復調回路
１７  電源回路
１８  充電用コンデンサ
１９  ロジック回路
２０  ＦＲＡＭ
２１  入力インターフェース回路
２２  携帯型無線検針器
２３  表示器
２４  操作キー
２５  アンテナ
【図１】
2006208092.tif 000003
【図２】
2006208092.tif 000004
【図３】
2006208092.tif 000005